(57)【要約】      （修正有）【課題】衣服などの縫合は、布の端は表から見えないように縫合されていた。それとは違い、布の端を表に現し、その布の端が体を包む部分の布に沿わすことで、より洗練された衣服の縫合デザインや縫合方法を提供する。【解決手段】衣服の縫合端部（３）を衣服の表側にし、端部（３）を包身部（８）に沿うように、結合縫い目（４）と端処理縫い目（５）と端部縫い目（６）を併用又は単独に用いて縫合することにより、多様な縫合デザインを作り出す。布ｂ（２）の表の端に布ａ（１）を適当な巾だけ重ね、布ａ（１）の端部末端（７）から任意の巾だけ入ったところを結合縫い目（４）によって縫合する。この端部（３）を布ｂ（２）の包身部（８）に縫合するが、その縫い目は、ジグザグ縫いにして片方の折り返し点を端部末端（７）にすれば、端部のほつれを防止でき、故意にほつれさせる場合は、ほつれさせる巾だけ端部末端（７）から縫い目の折り返し点を入れる。【選択図】図１
2007016371.tif 000002
【特許請求の範囲】
【請求項１】
布を縫って結合し、衣服を縫製する場合、形成される体を包む部分の布と、その縫い目に係わる布の端の部分に分類して、以下説明する。
縫い目に係わる布の端の部分を衣服の表に出し、その布の端が体を包む部分の布に沿う形で縫合することを特徴とする衣服の縫合方法。
【請求項２】
図１によって説明すれば、縫合する双方の布の表と裏が接するように適当な巾だけ重ね、その重ねた部分を結合縫合することにより、布の端が衣服の表から見え、その端が体を包む布に沿う状態になることを特徴とする請求項１記載の、衣服の縫合方法
【請求項３】
図２によって説明すれば、通常布の表面どうしを合わせて縫合するところを、裏面どうしを合わせて縫合し、その結果、表側に出た二つの端を双方の体を包む部分の布に縫合するか、又は、二つの端を重ねて片方の体を包む布に縫合することを特徴とする請求項１記載の衣服の縫合方法。
【請求項４】
図３によって説明すれば、縫合する片方の布の端を折り曲げ、その部分にもう片方の布も折り曲げて重ね、四重に重なった部分を縫合することを特徴とする請求項１記載の衣服の縫合方法。
【請求項５】
図４によって説明すれば、縫合する片方の布の端を折り曲げ、もう片方の布と合わせて三重に重なった部分を縫合することを特徴とする請求項１記載の衣服の縫合方法。
【請求項６】
図５によって説明すれば、連結する布の双方の端をつき合わし、又は重ね、又は少し離して配置し、その部分に帯状の布をあてる。  帯状の布と連結するべき双方の布をそれぞれ縫合し、帯状の布を介して連結するべき双方の布を連結することを特徴とする請求項１記載の縫合方法。
【請求項７】
図６によって説明すれば、表に表れる布の端をほつれさせることを特徴とする請求項１，２，３，４，５、６記載の縫合方法。
【発明の詳細な説明】
【発明の詳細な説明】
【技術分野】
【０００１】本発明は、布の端を表に出して縫合する衣服の縫合方法に関するものである。
【技術背景】
【０００２】従来、縫合して製作される衣服の縫合方法は、通常の使い方では表から布の端が見えないような縫合方法であった。
まれにデザイン的に布の端が表から見える衣類があったが、その端は、身体を包む部分の布に沿わないような縫合方法だった。
【発明の開示】
【発明が解決しようとする課題】
【０００３】従来、衣類などの縫合は、布の端は表から見えないように縫合されていた。
まれに、外から見える布の端が身体を包む部分の布に沿わないような縫合方法の衣類があったが、それとは違い、布の端が体を包む部分の布に沿わすことで、より洗練されたデザインの、布の端を表に現す衣服の縫合方法を提供する。
【課題を解決するための手段】
【０００４】図１，２，３，４，５，６は本発明に係わる衣類の縫合部分を一部切欠いて表したもので、この出願書類全てを通じて図の上面を衣服の表面として、下方を裏面とする。  又、布ａ（１）と布ｂ（２）は別々の布と限定せず、一枚の布の両端である場合も主張する内容は同じであり、それは、この出願書類の全てにあてはめる。
更に、この出願書類全般で書くさまざまな縫合方法を縫合デザインと書き表す。【０００５】布を重ねて縫って結合し、形成される身体を包む部分を包身部（８）とし、その縫い目を結合縫い目（４）とする。  その縫い目である結合縫い目（４）に係わる布の端の部分を端部（３）とし、端部（３）の末端を端部末端（７）とし、ほつれ防止の縫い目を端処理縫い目（５）とする。
布の端部（３）が衣類の表に位置し、その端部（３）が体を包む包身部（８）に沿うように縫合する縫い目を端部縫い目（６）として以下説明する。【０００６】結合縫い目（４）、端部縫い目（６）、端処理縫い目（５）の各縫い方は、図面全体に示した直線縫いや、ジグザグ縫い、その他の縫い方に限定するものでなく、一部の欄で限定した場合以外は、強度やデザイン性、施工性その他を考慮に入れて縫い目の形状を選択するものとし、このことも他の縫合方法にも適用できる。  ジグザグ縫にも片道三針縫う方法もあり以下述べるジグザグ縫いはこれも含めたものとする。【０００７】本来、布の端部（３）は衣類の裏側になるように縫合されるが、請求項１では、この端部（３）はすべて衣類の表側に位置させ、なおかつ、前記包身部（８）に沿うように、結合縫い目（４）と端処理縫い目（５）と端部縫い目（６）を併用又は、単独に用いて縫合することにより、多様な縫合デザインを作り出す。【０００８】請求項２を図１によって説明すれば、布ｂ（２）の表の端に布ａ（１）を適当な巾だけ重ね、布ａ（１）の端部末端（７）から任意の巾だけ入ったところを結合縫い目（４）によって縫合する。  必要に応じて、この端部（３）を布ｂ（２）の前記包身部（８）に縫合する。この縫合によって端部（３）のほつれが過大になることを防止でき、この縫合の位置によってほつれの長さを調節することができ、このことは、本発明の他の縫合方法にも適用できる。以上の縫合方法によって個性的な縫合デザインにする。【０００９】請求項３の縫合を図２で説明すれば、通常表面どうしを合わせて縫合するところを、この場合、裏面どうしを合わせて縫合し、二つの端部（３）を表側に出し、双方の包身部（８）に縫合することにより個性的な縫合デザインにできる。
図示していないが、片方の端部（３）をもう一方の端部（３）と重ねて片方の包身部（８）に縫合する方法もある。【０００１０】請求項４の縫合を図３によって説明すれば、端を折り曲げた双方の布の折り曲げ部分を重ねて、四重の部分を縫合する。図３では、布ｂ（２）の端部（３）に布ａ（１）の包身部（８）側の面を合わせて縫合している。  図示していないが、双方の端部（３）どうしを合わせた四重重ね部分を縫合する方法もある。【０００１１】請求項５を図４によって説明すれば、布ｂ（２）の端の部分を折り曲げ、それに布ａ（１）を重ねて三重に重なった部分を縫合する。
図４では、布ｂ（２）の端部（３）に布ａ（１）を合わせて縫合している。
図示していないが、布ｂ（２）の内側、つまり、端部（３）の折り目から包身部（８）にいたる部分に布ａ（１）の表を合わせて三重部分を縫合する方法もある。【００１２】請求項６の発明を図５によって説明すると、結合する布の境目をふさぐように帯状の布をあてる。  この帯状の布をあて布（１２）とし、あて布（１２）と布ａ（１）と布ｂ（２）をそれぞれ縫合し、あて布（１２）を介して布ａ（１）と布ｂ（２）を連結縫合する。  この場合、あて布（１２）を衣類の表側に施工すれば、表から見える二つの端部（３）は背中合わせの状態になり、図示していないが、あて布（１２）を衣類の裏側に施工すれば、表から見える二つの端部（３）は向き合うような状態になり、それぞれ違う個性的な縫合デザインになる。【００１３】請求項７の発明は、請求項１，２，３，４，５，６に係わる、衣服の表に表す端部（３）の、端部縫い目（６）又は、端処理縫い目（５）又は、結合縫い目（４）から端部末端（７）にいたる部分の布をほつれさせ、個性的な縫合デザインにする。
【発明実施の形態】
【第１実施例】
【００１４】図１によって説明すれば、布ｂ（２）の表面に布ａ（１）を意図するデザイン性や強度を考慮し、それに見合った巾を重ね、重ねた部分を縫合する。
この縫合は、複数の縫い目で行えば強い縫合が得られ、端部末端（７）側の縫い目をジグザグ縫いにし場合、端部（３）のほつれを防止することができる。
又、結合縫い目（４）を例えばジグザグ縫いか、ほつれを防止できる縫い目にし、この縫い目から端部末端（７）までの布をほつれさせるデザインも可能である。  この結合縫い目（４）であるジグザグ縫いの折り返し点を端部末端（７）にすれば端部（３）をほつれさせることなく一本の縫い目で縫合ができるが、直線縫いなどの結合縫い目（４）も施すことによってより強い縫合が得られる。
【第２実施例】
【００１５】図２の縫合は、通常表面どうしを重ねて縫合するところを、裏面どうしを重ねて縫合し、表側に出た二つの端部（３）を双方の包身部（８）に縫合するか、又は、図示していないが、二つの端部（３）を重ねて片方の包身部（８）に縫合することにより、より個性的な縫合デザインを形成する。
この場合も端部縫い目（６）と端処理縫い目（５）を個別に施工する必要はなく、前記したように双方の縫い目の役割をどちらか一方の縫い目でなすことができる。
この縫い目から端部末端（７）をどれだけの巾を出すのか、又は、出さないのか、どのような縫合デザインにするのかは、デザイン、施工性、強度その他を考慮のうえなされるべきであり、これは、他の図に示した縫合方法にも言及できる。
【第３実施例】
【００１６】図３の縫合は、布ｂ（２）を表側に折り曲げ、その部分に布ａ（１）を表側に折り曲げその折り曲げた部分を重ねて四重の部分を結合縫合する。
図示していないが、布ｂ（２）を表側に折り曲げ、その部分に布ａ（１）を裏側に折り曲げて重ね、四重になった部分を縫合する方法もある。前記したように縫い目の形状、本数を限定せず、自由な縫合デザインを選択できる。
ただし、この場合、布ｂ（２）の端部（３）を布ａ（１）の折り曲げ点より出すか、出さないか、出した場合ほつれさせるのかしないのか、出す巾、端部縫い目（６）をするのかしないのか、さまざまな縫合デザインを実現できる。
【第４実施例】
【００１７】図４の縫合は、布ａ（１）を折り曲げずに裏面を、布ｂ（２）を折り曲げた端部（３）に重ねて、三重になった部分を縫合するものである。
したがって、布ｂ（２）と布ａ（１）の双方の端部（３）をどのように処理し、どのような形状の縫い目で縫合するのかは、自由であり要求される縫合デザインで縫合する。
ただ、この場合、二つの端部（３）が同じ方向を向いているので、これを同じ長さにするのかしないのか、ほつれさせるのかしないのかによって、多様でより個性的な縫合デザインを実現できる。
【第５実施例】
【００１８】図５の縫合は、布ａ（１）と布ｂ（２）の端を縫合するか、端をつき合わすか、又は少し離して配置してその境界に帯状のあて布（１２）を重ね、あて布（１２）と双方の布をそれぞれ縫合し、あて布（１２）を介して双方の布を連結する。  あて布（１２）を衣服の表に施した場合背中合わせのように、図示していないが、衣服の裏側に施した場合向き合うような配置の端部（７）が衣服の表に現せる。
【第６実施例】
【００１９】図６の縫合は、図１の縫合の端部縫い目（６）となる縫い目から端部末端（７）までをほつれさせたものであり、図２，３，４，５の縫合デザインにも採用できる。
図２，３、５では双方に、図１，３，４，では片方に、端部（３）のほつれをなすことができ、図３、４では、一方だけほつれさせ、片方の端部を包み込む縫合もできる。  図５では、あて布（１２）を衣服の裏に施工すれば、双方の端部のほつれを向き合うような形状の縫合デザインも採用できる。
【発明の効果】
【００２０】従来、一般的にジーンズとよばれるズボンのなかには、一部分の生地を色抜きしたり、又は、破いたり、ほつれさせたりして個性を強調する物があった。
すなわち、ジーンズは、いわゆる紳士服的な上等さとは対極の個性主張の衣服であり、着古した物や粗野に見えるものが個性主張になると考えられる。
そのような多種多様な個性主張のデザインを、布の端を衣服の表に出すことにより得られる、縫合形状の多様化によって創出できる。
又、表に出した布の端を体を包む布に沿わすことにより洗練され、その端の布をほつれさせることにより、より個性的な縫合デザインを創出できる。
【図面の簡単な説明】
【図１】本発明の一実施例に係わる一部を切り欠いた斜視図である。
【図２】本発明の一実施例に係わる一部を切り欠いた斜視図である。
【図３】本発明の一実施例に係わる一部を切り欠いた斜視図である。
【図４】本発明の一実施例に係わる一部を切り欠いた斜視図である。
【図５】本発明の一実施例に係わる一部を切り欠いた斜視図である。
【図６】本発明の一実施例に係わる一部を切り欠いた斜視図である。
【図７】本発明の一実施例をズボンに用いた図である。
【図８】本発明の一実施例をズボンに用いた図である。
【符号の説明】
１布ａ
２布ｂ
３端部
４結合縫い目
５端処理縫い目
６端部縫い目
７端部末端
８包身部
９ほつれ部
１０ズボン
１１ポケット
１２あて布
【図１】
2007016371.tif 000003
【図２】
2007016371.tif 000004
【図３】
2007016371.tif 000005
【図４】
2007016371.tif 000006
【図５】
2007016371.tif 000007
【図６】
2007016371.tif 000008
【図７】
2007016371.tif 000009
【図８】
2007016371.tif 000010